(57)【要約】【課題】  シャワ−ヘッドの中間部分の送水道より注入量を調節しながら香料を注入し、香料入り湯等としながら使用することができる。【解決手段】  シャワ−ヘッドの中間部分の送水道へ香料注入器（４）の注入先端（１５）をそう入し、香料を注入するものだが注入の際に送水道内の湯等の逆流を防ぐため注入器先端の注入口にゴム管のバルブ（１６）を装着し、また上部の香料入口のネジ栓部（７）に空気穴（８）を設け必要に応じて内部の空気を補充し香料全部を使うことができるものとした。【選択図】図２
0003134133.tif 000002
【実用新案登録請求の範囲】
【請求項１】
シャワ−ヘッド（１）の中間部分の送水道（３）に向けてそう入口（５）を設け、香料注入器（４）をそう入することができる香料注入器付のシャワ−ヘッド
【請求項２】
香料注入器（４）は上部の香料入容器（１２）と下部の注入器（１３）とからなり香料入容器（１２）の上端には香料注入口（９）があり、ねじ栓（７）により開閉でき、ねじ部分の一部に空気穴（８）を施しており下部は細くなり先端にゴム管バルブ（１６）をかぶせた香料出口（１４）をつけシャワ−ヘッドのそう入口（５）から送水道（３）にそう入できる香料注入器付のシャワ−ヘッド
【考案の詳細な説明】
【考案の詳細な説明】
【技術分野】
【０００１】  本考案はシャワ−ヘッドに直接香料を注入し、内部で湯等と混合され香料入りの湯等とすることができるシャワ−ヘッドに関するものである。
【背景技術】
【０００２】  従来この種のシャワ−ヘッドはない。
【考案が解決しようとする課題】
【０００３】  従来香料入り湯等は湯桶等に湯を入れ香料を混ぜて薄め使用するのが普通で使用量等に限られるうえ身体全般に行き渡らない等使用上不便であった。
【０００４】  本考案は湯等に香料を注入しながら、た易く香料入の湯等とすることができるうえ香料の注入量も調節でき、シャワ−式である為身体の各所に十分行き届く事ができる便利な香料注入器付シャワ−ヘッドを提供するものである。
【課題を解決する為の手段】
【０００５】  上記目的を達成するために本考案における香料注入器付シャワ−ヘッドはシャワ−ヘッドの中間部分の送水道に送入口を設けて香料注入器をそう入して香料を適量押し出しながら湯等に混合できるようにした。
【０００６】  香料注入器の注入先端はシャワ−ヘッドの送水道に差し込まれる為送水道を流れる湯等が香料入容器内に流入することを防ぐ目的で、流入先端を細くしゴム管のバルブを装着した。
【０００７】  香料注入器の上部は香料入容器で、その上端につけたねじ栓を開け香料を注入する。
【０００８】  香料入容器を押すと中の香料が送水道に押し出され、その押し具合により任意の量を注入することができ繰り返すことにより全量を使用できるようにしており、この際中の空気を補充する必要上ねじ部分の一部に空気穴を設け、ねじ栓の開閉操作により空気を容器内に取り入れることとした。
【考案を実施するための最良の形態】
【０００９】  図１においてシャワ−ヘッドの中間部分の送水道に至る程のそう入口（５）を設けその後方に香料注入器の固定板（１０）をつけ帯（１１）で固定する。【００１０】  図２における香料入容器（１２）は、約１ｍｍの厚さの合成樹脂製を用い下方先端は細くシャワ−ヘッドのそう入口（５）にそう入されるようにし、一方上部にはねじ栓（７）をつけそのふた（６）の開閉操作で香料を注入できるようにし、香料入容器（１２）の中部分を押すと中の香料が注入先端（１５）より押し出されるが、その押し具合いにより調節することができる。【００１１】  香料入容器（１２）の先端をシャワ−ヘッドにそう入する際の湯等のもれを防止する為ゴム（１７）を巻きつけている。【００１２】  注入先端（１５）はシャワ−ヘッドのそう水道にそう入され香料を押し出されるように小穴の香料出口（１４）を開けているがその穴より送水道を流れる湯等が香料入容器（１２）に逆流することがないようにゴム管のバルブ（１６）を装着している。【００１３】  香料入容器の上端は、ねじ栓（７）でこれの開閉操作により香料を注入する。又香料を押し出す際全量押し出すか何回も適宜押し出しするかのいずれかの場合でも香料入容器（１２）内の空気が不足し押し出し不能となる為ねじ部分に空気穴（８）を開けており、ねじ栓（７）を開けると空気を取り入れ閉じると密閉され空気が外にもれぬようにしている。
【考案の効果】
【００１４】  香料入容器をシャワ−ヘッドに装着し固定板に帯で固定した上ねじ栓を開け香料を注入した後閉じる。
【００１５】  香料入容器を押すとシャワ−ヘッドの送水道内に香水が注入され送水道内の湯等に混合され香水入湯等としてシャワ−用に供される。
【００１６】  香料入容器は回を重ねて押しながら香料を出すと容器内の空気が失くなり香料の出が悪くなるので上部のねじ栓のふたをゆるめて空気穴より空気を取り入れてふたを締め空気が抜けないようにした上、再度香料入容器を押し香料を出すが、この際操作を必要に応じて繰り返し行うと香料を出し切ることができる。
【００１７】  香料注入器は便所のシャワ−等のパイプの一端にそう入し香料入水として利用できる。
【図面の簡単な説明】
【図１】  シャワ−ヘッドに装着したことを示す断面図である。
【図２】  香料注入器全体を示す断面図である。
【符号の説明】
１．シャワ−ヘッド
２．噴水口
３．送水道
４．香料注入器
５．そう入口
６．ふた
７．ねじ栓
８．空気穴
９．香料注入口
１０．固定板
１１．帯
１２．香料入容器
１３．注入器
１４．香料出口
１５．注入先端
１６．ゴム管のバルブ
１７．ゴム
【図１】
0003134133.tif 000003
【図２】
0003134133.tif 000004
【手続補正書】
【提出日】平成18年11月28日(2006.11.28)
【手続補正１】
【補正対象書類名】実用新案登録請求の範囲
【補正対象項目名】全文
【補正方法】変更
【補正の内容】
【実用新案登録請求の範囲】
【請求項１】
シャワ−ヘッド（１）の中間部分の送水道（３）に向けてそう入口（５）を設け、香料注入器（４）をそう入することができる香料注入器付きのシャワ−ヘッド
【請求項２】
香料注入器（４）は上部の香料入容器（１２）と下部の注入器（１３）とからなり香料入容器（１２）の上端には香料注入口（９）があり、ねじ栓（７）により開閉でき、ねじ部分の一部に空気穴（８）を施しており下部は細くなり先端にゴム管バルブ（１６）をかぶせた香料出口（１４）をつけシャワ−ヘッドのそう入口（５）から送水道（３）にそう入できることを特徴とする請求項１記載の香料注入器付きのシャワ−ヘッド
0003134133.tif 000005
0003134133.tif 000006
0003134133.tif 000007
0003134133.tif 000008
0003134133.tif 000009
0003134133.tif 000010
【手続補正書】
【提出日】平成19年2月8日(2007.2.8)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
シャワ−ヘッド（１）の中間部分の送水道（３）に向けてそう入口（５）を設け、香料注入器（４）をそう入することができる香料注入器付きのシャワ−ヘッド
【請求項２】
香料注入器（４）は上部の香料入容器（１２）と下部の注入器（１３）とからなり香料入容器（１２）の上端には香料注入口（９）があり、ねじ栓（７）により開閉でき、ねじ部分の一部に空気穴（８）を施しており下部は細くなり先端にゴム管バルブ（１６）をかぶせた香料出口（１４）をつけシャワ−ヘッドのそう入口（５）から送水道（３）にそう入できることを特徴とする請求項１記載の香料注入器付きのシャワ−ヘッド